【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
その各々がナノ結晶性無機コア（１２）と該ナノ結晶性無機コア（１２）を実質的に覆っている少なくとも１つの外側コーティング（１４）とを備える複数のナノ粒子（１０）を形成する方法であって、該外側コーティング（１４）の少なくとも１つは少なくとも１つのイオン性安定化材料を備えていると共に、
ａ）無極性非プロトン性有機溶媒、酸化性物質及び第１の界面活性剤を化合させるステップであって、該第１の界面活性剤は第１の濃度で存在すると共に分極可能ヘッド基を有しているような化合ステップと、
ｂ）前記化合させた無極性非プロトン性有機溶媒、酸化性物質及び第１界面活性剤に少なくとも１つの有機金属化合物を加えるステップであって、該少なくとも１つの有機金属化合物は金属及び少なくとも１つの配位子を備えているような付加ステップと、
ｃ）前記化合させた無極性非プロトン性有機溶媒、酸化性物質、第１界面活性剤と、前記少なくとも１つの有機金属化合物とを不活性ガス雰囲気下で約３０°Ｃ〜約４００°Ｃの範囲にある第１の温度まで第１の時間間隔にわたって加熱し、これによって該第１界面活性剤及び無極性非プロトン性有機溶媒の存在下で該少なくとも１つの有機金属化合物と該酸化性物質を反応させ、その各々がナノ結晶性無機コア（１２）及び該第１の界面活性剤を備えた少なくとも１つの外側コーティング（１４）を備えている複数のナノ粒子（１０）を形成させるステップと、
を含む方法。
【請求項２】
前記無極性非プロトン性溶媒から前記複数のナノ粒子（１０）を沈殿させるステップをさらに含む請求項１に記載の方法。
【請求項３】
複数のナノ粒子（１０）を沈殿させる前記ステップが、前記無極性非プロトン性溶媒にアルコールとケトンのうちの一方を添加することを含む、請求項２に記載の方法。
【請求項４】
外側コーティング（１４）内で前記第１の界面活性剤を第２の界面活性剤で置換するステップをさらに含む請求項１乃至３のいずれかに記載の方法。
【請求項５】
その各々が第１の酸化状態にある鉄及び該第１の酸化状態と異なる第２の酸化状態にある遷移金属を含んだ結晶性混合スピネルフェライトを含む複数の単分散ナノ粒子（１０）を形成させる方法であって、
ａ）無極性非プロトン性有機溶媒、酸化性物質及び第１の界面活性剤を化合させるステップであって、該第１の界面活性剤は第１の濃度で存在すると共に分極可能ヘッド基を有しているような化合ステップと、
ｂ）前記化合させた無極性非プロトン性有機溶媒、酸化性物質、第１界面活性剤を不活性ガス雰囲気下で第１の温度まで加熱させるステップと、
ｃ）前記第１の温度において前記化合させた無極性非プロトン性有機溶媒、酸化性物質、第１界面活性剤に有機鉄化合物を加えるステップと、
ｄ）前記有機鉄化合物と前記化合させた無極性非プロトン性有機溶媒、酸化性物質、第１界面活性剤とを一緒に前記第１の温度において第１の時間間隔だけ不活性ガス雰囲気下に維持するステップと、
ｅ）前記第１の時間間隔の満了後に、前記第１の温度において一緒にした前記有機鉄化合物及び前記化合させた無極性非プロトン性有機溶媒、酸化性物質、第１界面活性剤に少なくとも１つの有機遷移金属化合物を加えるステップと、
ｆ）前記化合させた無極性非プロトン性有機溶媒、酸化性物質、第１界面活性剤、前記有機鉄化合物、及び前記少なくとも１つの有機遷移金属化合物を不活性ガス雰囲気下で第２の温度まで第２の時間間隔にわたって加熱し、これによって該第１の界面活性剤及び該無極性非プロトン性有機溶媒の存在下で該有機鉄化合物、該有機遷移金属化合物及び該酸化性物質を反応させ、その各々が結晶性混合スピネルフェライトを含む複数の単分散ナノ粒子（１０）を形成させるステップと、
を含む方法。
【請求項６】
前記有機鉄化合物は鉄と少なくとも１つの配位子を含んでおり、該少なくとも１つの配位子は、カルボニル基、シクロオクタジエニル基、有機ホスフィン基、ニトロシル基、シクロペンタジエニル基、ペンタメチルシクロペンタジエニル基、π酸配位子、ニトロキシ基、並びにこれらの組み合わせのうちの少なくとも１つを含んでいる、請求項５に記載の方法。
【請求項７】
前記少なくとも１つの有機遷移金属化合物は遷移金属と少なくとも１つの配位子を含んでおり、該遷移金属が、鉄、銅、チタン、マンガン、カドミウム、コバルト、ニッケル、クロム、ガドリニウム、亜鉛、イットリウム、モリブデン及びバナジウムのうちの１つであると共に、該少なくとも１つの配位子が、カルボニル基、シクロオクタジエニル基、有機ホスフィン基、ニトロシル基、シクロペンタジエニル基、ペンタメチルシクロペンタジエニル基、π酸配位子、ニトロキシ基、並びにこれらの組み合わせのうちの少なくとも１つを含んでいる、請求項５または６に記載の方法。
【請求項８】
その各々が、第１の酸化状態にある鉄及び該第１の酸化状態と異なる第２の酸化状態にある遷移金属を含んだ結晶性混合スピネルフェライトコア、並びに該無機コア（１２）を実質的に覆っている少なくとも１つの外側コーティング（１４）を含むような複数のナノ粒子（１０）を形成させる方法であって、
ａ）無極性非プロトン性有機溶媒、酸化性物質及び第１の界面活性剤を化合させるステップであって、該第１の界面活性剤は第１の濃度で存在すると共に分極可能ヘッド基を有しているような化合ステップと、
ｂ）前記化合させた無極性非プロトン性有機溶媒、酸化性物質、第１界面活性剤を不活性ガス雰囲気下で第１の温度まで加熱させるステップと、
ｃ）前記第１の温度において前記化合させた無極性非プロトン性有機溶媒、酸化性物質、第１界面活性剤に有機鉄化合物を加えるステップと、
ｄ）前記有機鉄化合物と前記化合させた無極性非プロトン性有機溶媒、酸化性物質、第１界面活性剤とを一緒に前記第１の温度において第１の時間間隔だけ不活性ガス雰囲気下に維持するステップと、
ｅ）前記第１の時間間隔の満了後に、前記第１の温度において一緒にした前記有機鉄化合物及び前記化合させた無極性非プロトン性有機溶媒、酸化性物質、第１界面活性剤に少なくとも１つの有機遷移金属化合物を加えるステップと、
ｆ）前記化合させた無極性非プロトン性有機溶媒、酸化性物質、第１界面活性剤、前記有機鉄化合物、及び前記少なくとも１つの有機遷移金属化合物を不活性ガス雰囲気下で第２の温度まで第２の時間間隔にわたって加熱し、これによって該第１の界面活性剤及び該無極性非プロトン性有機溶媒の存在下で該有機鉄化合物、該有機遷移金属化合物及び該酸化性物質を反応させ、その各々が結晶性混合スピネルフェライトを含む複数の単分散ナノ粒子（１０）を形成させるステップと、
ｇ）前記溶剤から前記複数の単分散ナノ粒子（１０）を沈殿させるステップと、
を含む方法。
【請求項９】
前記有機鉄化合物は鉄と少なくとも１つの配位子を含んでおり、該少なくとも１つの配位子は、カルボニル基、シクロオクタジエニル基、有機ホスフィン基、ニトロシル基、シクロペンタジエニル基、ペンタメチルシクロペンタジエニル基、π酸配位子、ニトロキシ基、並びにこれらの組み合わせのうちの少なくとも１つを含んでいる、請求項８に記載の方法。
【請求項１０】
前記少なくとも１つの有機遷移金属化合物は遷移金属と少なくとも１つの配位子を含んでおり、該遷移金属が、鉄、銅、チタン、マンガン、カドミウム、コバルト、ニッケル、クロム、ガドリニウム、亜鉛、イットリウム、モリブデン及びバナジウムのうちの１つであると共に、該少なくとも１つの配位子が、カルボニル基、シクロオクタジエニル基、有機ホスフィン基、ニトロシル基、シクロペンタジエニル基、ペンタメチルシクロペンタジエニル基、π酸配位子、ニトロキシ基、並びにこれらの組み合わせのうちの少なくとも１つを含んでいる、請求項８または９に記載の方法。
【手続補正２】
【補正対象書類名】明細書
【補正対象項目名】０００３
【補正方法】変更
【補正の内容】
【０００３】
こうしたナノ粒子を合成するために目下のところ使用されている方法には幾つかの欠点がある。これらの方法によって通常得られるナノ粒子は、広範なサイズ分布を有する傾向がある。このため、所望のサイズ分布を有する母集団を得るには少なくとも１つのサイズ調整工程を含めておく必要がある。目下の方法によって得られるナノ粒子は結晶化度も低い。さらに、これらのナノ粒子は、粒子間の大きな相互作用のために凝集する傾向がある。
【特許文献１】米国特許第４９７６８８３号